(57)【要約】【課題】 筒に生き餌魚を入れて目的の深さまで沈め、筒から生き餌魚を抜き出して、筒を回収することを可能にする。【解決手段】  筒１の上部に網２を張り、ライン環３を有し、下部にオモリ環４を有し、沈めた生き餌魚沈め筒を回収するためのライン１２をライン環３に取り付け、沈降用オモリ１１をオモリ環４に取り付けて、道糸２１に結んだ針２２を刺した生き餌魚２３を頭部より筒１に入れ、海中に沈降したときに筒１内を通過する水流により生き餌魚２３は網２に押付けられて筒１内に留まり、目的の深さに到達すると、ライン１２を引いて生き餌魚２３を筒１より抜き出し、ライン１２を巻き取ることで生き餌魚２３を残し回収出来る生き餌魚沈め筒。【特許請求の範囲】
【請求項１】
筒１の上部に網２を張りライン環３を固定し、その対角にオモリ環４とその対面に紐環５とを固定したもので、生き餌魚２３を確実に目的の深さに沈めるようにした生き餌魚筒。
【発明の詳細な説明】
【技術分野】
【０００１】
本発明は、生き餌魚を使ってのイカ釣りにおいて、生き餌魚を目的の深さに沈めることが困難であったものを、生き餌魚を入れるための筒の上部に生き餌魚を留めることと降下及び回収時に海水が通過するように網を張り、目的の深さに沈め筒から生き餌魚を抜き出した後に筒を回収するためのラインを上部に結び、下部に降下用のオモリをぶら下げ、生き餌魚を入れた生き餌魚筒を海面まで下ろすために紐を通す紐環を固定したものを使うことにより、目的の深さに沈めることが容易で確実にでき、釣果率を上げるようにした生き餌魚筒に関するものである。
【背景技術】
【０００２】
従来、船やイカダ等において釣り糸にオモリを使わず生き餌魚の尾ビレ付け根付近に針を刺して海中に降ろしイカを釣るが、生き餌魚がなかなか目的の深さまで潜らずイカを釣ることが困難なので、生き餌魚を確実に目的の深さまで潜らせることが要求される。
【０００３】
この改善策として、生き餌魚を目的の深さまで沈めることができるようにする。
【特許文献１】特開２０００−９３０５９号公報
【発明の開示】
【発明が解決しようとする課題】
【０００４】
解決しようとする問題点は、生き餌魚が目的の深さまで潜らないものが多く釣果率が悪いということである。
【課題を解決するための手段】
【０００５】
本発明は、上記目的を達成するために、生き餌魚筒に生き餌魚を入れて海中に降ろした後に抜き出すようにする。
【発明の効果】
【０００６】
本発明の生き餌魚筒は、筒に生き餌魚を入れて海中に降ろすことで、生き餌魚を確実に目的の深さに沈めることができ、釣果率を上げることができる。
【発明を実施するための最良の形態】
【０００７】
本発明は、船やイカダ等においてイカを釣ることを容易にした生き餌魚筒で、それを図面について説明すれば、生き餌魚２３を入れる筒１の上部に生き餌魚２３を留めることと降下及び回収時に海水が通過するように網２を張り、目的の深さに沈め筒１から生き餌魚２３を抜き出し生き餌魚筒を回収するためのライン１２を上部に結ぶライン環３を固定する。降下用であり、降下中に回転を防ぐためにライン環３の対角の位置にオモリ１１をぶら下げるオモリ環４を固定する。そうしたものに生き餌魚２３を入れた生き餌魚筒を海面まで下ろすために紐１３を通す紐環５をオモリ環４の対面に固定する。釣り糸２１に結んだ針２２を生き餌魚２３の尾ビレ付け根付近に刺して筒１に入れ、それぞれのリールに巻かれたライン１２及び釣り糸２１が自由に出る状態にし、紐１３を紐環５に通して二つ折りにして海面まで吊り下げた後に紐１３の片側を放して引き抜き降下させ、目的の深さに到達したらライン１２を巻き上げて、筒１から生き餌魚２３を抜き出すことにより、目的の深さに沈めることが容易で確実にでき、釣果率を上げるものである。
【図面の簡単な説明】
【０００８】
【図１】生き餌魚筒の斜視図である。
【図２】生き餌魚を筒に入れて投入用紐でぶら下げた状態の斜視図である。
【図３】生き餌魚を筒に入れた生き餌魚筒が海中を降下状態の斜視図である。
【符号の説明】
【０００９】
１    筒
２    網
３    ライン環
４    オモリ環
５    紐環
１１    オモリ
１２    ライン
１３    紐
２１    釣糸
２２    針
２３    生き餌魚
【図１】
2005237262.tif 000002
【図２】
2005237262.tif 000003
【図３】
2005237262.tif 000004
【手続補正書】
【提出日】平成17年2月15日(2005.2.15)
【手続補正１】
【補正対象書類名】特許請求の範囲
【補正対象項目名】請求項１
【補正方法】変更
【補正の内容】
【請求項１】
筒の上部に網を張り、ライン環を有し、下部にオモリ環を有し、目的の深さに沈めることができることを特徴とした生き餌魚沈め筒。
【手続補正３】
【補正対象書類名】明細書
【補正対象項目名】０００１
【補正方法】変更
【補正の内容】
【０００１】
本発明は、生き餌魚を使っての釣りにおいて、生き餌魚を筒に入れて沈め、目的の深さに到達すると回収用ラインを引いて生き餌魚を抜き出した後に筒を回収することができる、生き餌魚沈め筒に関する。
【手続補正４】
【補正対象書類名】明細書
【補正対象項目名】０００２
【補正方法】変更
【補正の内容】
【０００２】
近年、釣りファンの注目を集めているのが生き餌魚によるイカ釣りで、道糸に結んだ針
を刺した生き餌魚を海中に潜らせイカが食い付くと、イカ掛け用ヤエンを釣り糸に装着して海中に滑降させてイカを掛けるが、生き餌魚を確実に沈ませる方法が望まれている。これまでにいろんな形態の撒き餌具が提案されているその中の１つに、上部に水は通過するが水中を沈降中に撒き餌が通過しない通水部有すると共に、底部に撒き餌および釣針の通過できる開口部を有する筒状の本体と、その本体の上部に設けられた接続部を備え、その本体に錘作用を持たせた釣魚用撒き餌具で、道糸やテンビンに取り付けて使用する方法が提案されている（例えば、特許文献１参照）。
【手続補正５】
【補正対象書類名】明細書
【補正対象項目名】０００３
【補正方法】変更
【補正の内容】
【０００３】
この改善策として、撒き餌具に回収用ラインを取り付けて、道糸に結んだ針を刺した生き餌魚を筒に入れて目的の深さに沈め、ラインを引いて生き餌魚を抜き出した後に、ラインを巻き取り撒き餌具は回収することができるようにする。
【手続補正６】
【補正対象書類名】明細書
【補正対象項目名】０００４
【補正方法】変更
【補正の内容】
【０００４】
本発明は、上記従来技術の改善策を解決するために、生き餌魚沈め筒を提供することを課題とする。
【手続補正７】
【補正対象書類名】明細書
【補正対象項目名】０００５
【補正方法】変更
【補正の内容】
【０００５】
本発明の生き餌魚沈め筒は、上記目的を達成するために、回収用ラインを取り付けた筒に、道糸に結んだ針を刺した生き餌魚を入れて海中を沈降し、目的の深さに到達すると回収用ラインを引いて生き餌魚を抜き出し、ラインを巻き取り筒は回収する。
【手続補正８】
【補正対象書類名】明細書
【補正対象項目名】０００６
【補正方法】変更
【補正の内容】
【０００６】
本発明によれば、生き餌魚を目的の深さに確実に沈めることができ、釣り時間を有効に使え、釣果率を上げることができる。
【手続補正９】
【補正対象書類名】明細書
【補正対象項目名】０００７
【補正方法】変更
【補正の内容】
【０００７】
本発明は、筒に入れた生き餌魚を目的の深さに沈めて抜き出し、撒き餌筒を回収することが出来る、生き餌魚沈め筒で、それを図面について説明すれば、図１は、生き餌魚沈め筒の形態を示す斜視図で、筒１の上部に網２を張り、ライン環３を有し、下部にオモリ環４を有する。図２は、生き餌魚沈め筒の一実施例の投入前を示す斜視図で、ライン環３にライン１２を取り付け、オモリ環４にオモリ１１を取り付け、道糸２１に結んだ針２２を刺した生き餌魚２３を筒１に入れた投入前である。図３生き餌魚沈め筒の一実施例で海中を沈降する斜視図で、生き餌魚２３を入れた筒１が海中を沈降するときは、筒１内部を通過する水流により、生き餌魚２３が網２に押付けられるように留まる。その後、生き餌魚沈め筒が目的の深さに到達するとライン１２を引き、生き餌魚２３を筒１より抜き出し、ライン１２を巻き取り回収することができる。
【手続補正１０】
【補正対象書類名】明細書
【補正対象項目名】０００８
【補正方法】変更
【補正の内容】
【０００８】
【図１】生き餌魚沈め筒の形態を示す斜視図である。
【図２】生き餌魚沈め筒の一実施例で投入前を示す斜視図である。
【図３】生き餌魚沈め筒の一実施例で海中を沈降する斜視図である。
【手続補正１１】
【補正対象書類名】明細書
【補正対象項目名】０００９
【補正方法】変更
【補正の内容】
【０００９】
１    筒
２    網
３    ライン環
４    オモリ環
１１    オモリ
１２    ライン
２１    道糸
２２    針
２３    生き餌魚
【手続補正１２】
【補正対象書類名】図面
【補正対象項目名】全図
【補正方法】変更
【補正の内容】
【図１】
2005237262.tif 000005
【図２】
2005237262.tif 000006
【図３】
2005237262.tif 000007